(57)【要約】【課題】交換した古い防音パネルの筐体を容易に解体し、解体により得られた金属材料を金属種毎にロス無く分別収集する。【解決手段】  折曲加工された複数の金属板がリベット５０により連結されて扁平な箱状に組み立てられ、内部に吸音材１４が収納された防音パネル１０において、リベット５０で連結されている一対の金属板の一方に第一リベット孔４０を、他方に第二リベット孔４４と解除孔４６を設け、第一リベット孔４０と第二リベット孔４４にリベット５０を通して該一対の金属板を連結し、一対の金属板を相互にスライドさせてリベット５０を第二リベット孔４４から解除孔４６に移動させ、リベット５０を解除孔４６及び第一リベット孔４０から抜き取ることによりリベット５０により連結されていた金属板を分離し、防音パネル１０を解体する。【選択図】図１
2014125780.tif 000002
【特許請求の範囲】
【請求項１】
折曲加工された複数の金属板が縁部で連結されて扁平な箱状に組み立てられ、内部に吸音材が収納された防音パネルであって、該箱状体の少なくとも一辺の連結箇所において、該縁部は重なり合っている一対のリベット孔に挿通されたリベットにより連結され、いずれか一方のリベット孔はスリット及び解除孔をこの順に連続的に有し、該解除孔は該リベットの抜き取りが可能な大きさになっていることを特徴とする防音パネル。
【請求項２】
折曲加工された複数の金属板がリベットにより連結されて扁平な箱状に組み立てられ、内部に吸音材が収納された防音パネルであって、該複数の金属板の相互に重なり合ってリベットにより連結されている部分のいずれか一方には第一リベット孔が設けられ、他方には第二リベット孔と解除孔が設けられ、該第二リベット孔と該解除孔は少なくとも該リベットのスリーブの直径と略同一幅のスリットにより連通しており、該第一リベット孔と該第二リベット孔には該リベットのスリーブが挿入され、該スリーブは一方にフランジ部を、他方に潰膨頭部を有し、該リベットのフランジ部の直径Ａと該潰膨頭部の直径Ｂのいずれか一方は該第一リベット孔の直径Ｃより小さく、他方は該第一リベット孔の直径Ｃより大きく、該リベットのフランジ部の直径Ａ、該潰膨頭部の直径Ｂ、該スリーブの直径Ｄ及び該第二リベット孔の直径Ｅは、Ｄ＜Ｅ＜Ｂ＜Ａの関係にあり、該解除孔の直径Ｆは該リベットの該潰膨頭部の直径Ｂより大きい関係にあり、該リベットのフランジ部は第一リベット孔の外側に位置し、該潰膨頭部は第二リベット孔の外側に位置することを特徴とする請求項１に記載の防音パネル。
【請求項３】
前記防音パネルが、扁平な箱状の筐体と、筐体の内部に挿入された吸音材とからなり、該筐体が、所定間隔をおいて対向する正面板及び背面側と、該筐体の両側部を形成する一対の側面板と、該正面板、該背面板及び該側面板を連結する複数のリベットとからなり、該側板の両側縁には一対の折返部が折曲形成され、該折返部は正面板及び背面板の側縁部に内側から重なっており、正面板及び背面板の側縁部には複数の第一リベット孔が設けられ、該折返部には第二リベット孔と解除孔が、該第二リベット孔は該第一リベット孔と重なる位置に、該解除孔は該第二リベット孔の隣で該折返部の縁部側の位置に設けられ、該リベットのフランジ部は該第一リベット孔の側に位置し、該リベットの該潰膨頭部は該第二リベット孔の側に位置することを特徴とする請求項２に記載の防音パネル。
【請求項４】
前記リベットのフランジ部の直径Ａ、前記潰膨頭部の直径Ｂ、前記第一リベット孔の直径Ｃ、前記スリーブの直径Ｄ及び前記第二リベット孔の直径Ｅは、Ｄ＜Ｃ＜Ｅ＜Ｂ＜Ａの関係にあり、該潰膨頭部の直径Ｂと前記解除孔の直径Ｆは、Ｂ＜Ｆの関係にあることを特徴とする請求項３に記載の防音パネル。
【請求項５】
前記正面板、前記背面板、前記側板及び前記リベットのいずれかが他と異なる種類の金属材料からなることを特徴とする請求項１〜４のいずれかに記載の防音パネル。
【請求項６】
前記正面板がアルミニウム合金または溶融亜鉛メッキ鋼板からなり、前記背面板及び前記側板が溶融亜鉛メッキ鋼板、前記ブラインドリベットがステンレススチールまたはアルミ合金からなることを特徴とする請求項５に記載の防音パネル。
【請求項７】
前記正面板に開口部が形成されていることを特徴とする請求項１〜６のいずれかに記載の防音パネル。
【請求項８】
請求項２に記載の防音パネルの解体方法であって、重なり合ってリベットで連結されている一対の金属板のいずれかを、該リベットのスリーブを第二リベット孔の位置からスリットを介して解除孔の位置まで移動させる方向に強制的にスライドさせ、該一対の金属板を連結していた該リベットを第一リベット孔の側から抜き取り、該一対の金属板を分離させ、該防音パネルを該正面板、該背面板、該側板、該吸音材及び該リベットに解体することを特徴とする防音パネルの解体方法。
【請求項９】
請求項３に記載の防音パネルの解体方法であって、防音パネルの側板を筒体の外側から該筒体の内側に向けて、前記解除孔が前記リベットの前記潰膨頭部の位置にくるまで強制的にスライドさせ、この段階で該リベットを第一リベット孔の側から抜き取り、該防音パネルを該正面板、該背面板、該側板、該吸音材及び該リベットに解体することを特徴とする防音パネルの解体方法。
【発明の詳細な説明】
【技術分野】
【０００１】
本発明は、高速道路等の道路の脇に設置されている防音壁の構成ユニットである防音パネルとその解体方法に関するものである。
【背景技術】
【０００２】
従来のこの種の防音パネルとしては、例えば、図８及び図９に示すようなものが知られている。これらの図において、１０は防音パネルであり、防音パネル１０は、横長で扁平な箱状の筐体１２と、筐体１２の内部に挿入された板状の吸音材１４とから構成されている。筐体１２は、所定間隔をおいて略平行に対向する正面板１６及び背面板１８と、正面板１６及び背面板１８の両側部を連結する一対の側板２０，２０とからなる。
【０００３】
正面板１６には自動車の騒音を筐体１２の内部に取り入れるための開口部２２が面状に設けられている。正面板１６の上縁側には背面板１８の側に向けて略直角に折り曲げられて折曲部２４が筐体１２の厚さ分だけ延長形成され、折曲部２４の更に先の縁部には略直角に折り曲げられて係合部２６が延長形成されている。
【０００４】
背面板１８の上縁側には正面板１６の側に向けて略直角に折り曲げられて折曲部３４が筐体１２の厚さ分だけ延長形成され、背面板１８の下縁側には正面板１６の側に向けて略直角に折り曲げられて折曲部３６が筐体１２の厚さ分だけ延長形成されている。背面板１８の中間高さ位置には背面板１８の折り曲げ強度を高めるための断面略台形の突条３８が筐体１２の内部側に向けて折曲形成されている。
【０００５】
側板２０の両縁側には一対の折返部４２，４２が略直角に折り返し形成され、断面略コ字状になっている。側板２０の内側、すなわち折返部４２，４２の間にはアイボルト（図示せず）が取り付けられている。なお、防音壁には支柱（Ｈ鋼）に沿って落下防止用のケーブルが設けられ、この落下防止用のケーブルがこのアイボルトに挿入されるので、防音パネル１０の落下が防止されている。
【０００６】
背面板１８と側板２０はいずれも同種金属（溶融亜鉛メッキ鋼板）からなるので、背面板１８の側縁部に側板２０の折返部４２がスポット溶接で連結・固定されている。正面板１６はアルミニウム合金板からなり、側板２０は溶融亜鉛メッキ鋼板からなり、異種金属同士で、正面板１６と側板２０の連結にスポット溶接は使用できないので、正面板１６と側板２０はリベットにより連結・固定されている。
【０００７】
すなわち、正面板１６の側縁部には複数の第一リベット孔２８が所定間隔をおいて設けられ、側板２０の正面板１６と接する折返部４２には複数の第二リベット孔３０が正面板１６の第一リベット孔２８と重なる位置に所定間隔をおいて設けられ、正面板１６の第一リベット孔２８と側板２０の折返部４２の第二リベット孔３０は重なり合っていて、ブラインドリベット５０が挿通され、正面板１６の側縁部と側板２０の折返部４２はブラインドリベット５０により連結・固定されている。
【０００８】
吸音材１４は筐体１２の厚さと同程度の厚さを有した矩形板状であり、表面を撥水クロスで被覆されたポリエステル繊維成形吸音材や、ビニールフィルムで被覆されたグラスウール吸音材からなる。
【０００９】
この防音パネル１０は、車両の事故等により損傷したり、経時変化などにより劣化した場合、新しい防音パネル１０と交換され、古い防音パネル１０は解体され、筐体１２を構成している金属部分は金属スクラップとして再利用され、吸音材１４はポリエステル繊維成型吸音材はＰＥＴリサイクル、グラスウール吸音材は産業破棄物として廃棄される。
【００１０】
防音パネル１０の筐体１２を構成している正面板１６はアルミニウム合金板、背面板１８と側板２０は溶融亜鉛メッキ鋼板、リベット５０はステンレススチールからなるので、正面板１６、背面板１８、側板２０及びリベット５０を金属スクラップとして再利用するためには、金属種ごとに分離して分別するのが好ましい。
【００１１】
防音パネル１０の筐体１２は、スポット溶接やリベットで連結されているので、金属種毎に分離するためには、交換された古い防音パネル１０のスポット溶接の部分の切断やリベットの部分をドリルで切削・破壊し、金属種毎にばらし、内部の吸音材を取り出すという手順で解体しなければならない。
【００１２】
しかし、スポット溶接の部分の切断やリベットの部分をドリルの刃で切削・破壊する作業は細かい作業であり、取付箇所が多数であることから、非常に面倒であり、特にリベットの部分はドリルの刃もすぐに摩耗し、交換等が必要な状態となるので、このような方法で古い防音パネル１０を解体すると手間やコストがかかり過ぎるという問題がある。
【００１３】
そこで、防音パネル１０の筐体１２の部分を適宜溶断することにより防音パネル１０を解体する方法が取られることが多い。しかし、古い防音パネル１０の筐体１２の部分をこのように適宜溶断して解体すると、異種金属が結合したままの金属スクラップになり、このままでは分別に手間がかかり、しかも再利用不可の部分が生ずるという問題がある。
【先行技術文献】
【特許文献】
【００１４】
【特許文献１】特開２００３−１９３４３１号公報
【特許文献２】実用新案登録第３１０５０９２号公報
【特許文献３】特開２０１２−１８０６８８号公報
【特許文献４】特開２００６−２９９６９８号公報
【発明の概要】
【発明が解決しようとする課題】
【００１５】
本発明が解決しようとする課題は、更新により交換した古い防音パネルの筐体を同一金属種毎に簡単に解体・分別することができない点である。
【課題を解決するための手段】
【００１６】
本発明に係る防音パネルは、折曲加工された複数の金属板が、内部に吸音材が装入された状態で、扁平な箱状に組み立てられ、該金属板の端部の重なり合っている部分がリベット（ブラインドリベット）で結合されている。
【００１７】
該複数の金属板の相互に重なり合ってリベットにより連結されている部分のいずれか一方には第一リベット孔が設けられ、他方には第二リベット孔と解除孔が設けられ、第一リベット孔と第二リベット孔には該リベットのスリーブが挿入され、第二リベット孔と該解除孔は少なくとも該リベットのスリーブの直径と略同一幅のスリットで繋がれている。
【００１８】
該スリーブは一方にフランジ部を、他方に潰膨頭部を有し、該リベットの該潰膨頭部の潰膨後の直径は該第一リベット孔の直径Ｃより小さく、フランジ部の直径Ａは該第一リベット孔の直径Ｃより大きい。
【００１９】
該リベットのフランジ部の直径Ａ、該潰膨頭部の潰膨後の直径Ｂ、該スリーブの直径Ｄ及び該第二リベット孔の直径Ｅは、Ｄ＜Ｅ＜Ｂ＜Ａの関係にあり、該解除孔の直径Ｆは該リベットの該潰膨頭部の潰膨後の直径Ｂより大きい関係にある。
【００２０】
該リベットのフランジ部は第一リベット孔側に位置し、該潰膨頭部は第二リベット孔に位置する。
【００２１】
また、本発明の防音パネルの解体方法は、上記した防音パネルにおいて、重なり合ってリベットで連結されている一対の金属板のいずれかを、該リベットのスリーブを第二リベット孔の位置からスリット４８を介して解除孔の位置まで移動させる方向に強制的にスライドさせ、該一対の金属板を連結していた該リベットを第一リベット孔の側から抜き取り、該一対の金属板を分離させて該防音パネルを解体するものである。
【発明の効果】
【００２２】
本発明は、上述したように構成されているので、防音パネルの筐体を構成している金属板のいずれかをスライドさせ、該金属板を連結しているリベットの位置を解除孔の位置まで移動させるだけで該リベットが該金属板から外れ、防音パネルの筐体を構成している金属板が解体され、従って、防音パネルを容易且つ迅速に、低コストで解体することができるという利点がある。
【００２３】
また、本発明は、上述したように構成されているので、防音パネルの筐体を構成している金属板の結合がリベットを外すだけで解除され、防音パネルの筐体を構成している金属板及びリベットが容易に分離され、従って、防音パネルの筐体を構成している金属板及びリベットを同種金属毎に容易に分別収集することができるという利点がある。
【００２４】
また、本発明は、上述したように構成されているので、防音パネルを形成している全ての金属材料をリベット１本に至るまでそのままの形状で解体され、防音パネルの筐体を構成している全ての金属材料を完全に分別収集することができ、従って、交換された古い防音パネルの金属材料の回収について回収ロスが出ないという利点がある。
【００２５】
また、本発明は、上述したように構成されているので、防音パネルの筐体を構成している金属板を連結しているリベットを、切削・破壊することなく、単に外すだけで防音パネルの筐体を構成している金属板が解体され、従って、防音パネルの筐体を構成している金属板を、損傷させることなく、再利用可能な状態で解体することができるという利点がある。
【００２６】
そして、本発明は、防音パネルの筐体を構成している金属板を、損傷させることなく、再利用可能な状態で解体することができるので、回収された金属材料から損傷や劣化の無いものを選んで組み合わせることにより、極めて低コストで防音パネルの筐体を作ることができるという利点がある。
【図面の簡単な説明】
【００２７】
【図１】図１は本発明の一例の防音パネルの斜視図である。
【図２】図２は本発明の一例の防音パネルの分解斜視図である。
【図３】図３は本発明の一例の防音パネルの筐体（一部）の背面側からの斜視図である。
【図４】図４はリベット孔とリベットとの関係を示す説明図である。
【図５】図５は本発明の一例の防音パネルの組立工程を説明する説明図である。
【図６】図６は金属板の連結手順を示す説明図である。
【図７】図７は解体・分離される金属板のスライド状態とリベットの挙動を示す説明図である。
【図８】図８は従来の防音パネルの一例の斜視図である。
【図９】図９は従来の防音パネルの一例の分解斜視図である。
【発明を実施するための形態】
【００２８】
古い防音パネルの筐体を容易に解体し、解体により得られた金属材料を金属種毎にロス無く分別収集するという目的を、簡単な構成で、防音パネルの筐体の剛性を損なわずに実現した。
【実施例１】
【００２９】
図１は本発明の一例の防音パネルの斜視図、図２は本発明の一例の防音パネルの分解斜視図、図３は本発明の一例の防音パネルの筐体（一部）の背面側からの斜視図、図４はリベット孔とリベットとの関係を示す説明図である。これらの図において、１０は防音パネルであり、防音パネル１０は、横長で扁平な箱状の筐体１２と、筐体１２の内部に挿入された吸音材１４とからなり、筐体１２は、所定間隔をおいて対向する正面板１６及び背面板１８と、正面板１６及び背面板１８の両側部を連結する一対の側板２０，２０とからなる。
【００３０】
正面板１６には騒音を内部に取り入れるための開口部２２が面状に設けられている。正面板１６の上縁側には背面板１８の側に向けて筐体１２の厚さ分だけ略直角に折り曲げられて折曲部２４が延長形成され、折曲部２４の更に先の縁部には略直角に折り曲げられて係合部２６が延長形成されている。正面板１６の側縁部には複数の第一リベット孔２８が側縁に沿って所定間隔をおいて設けられている。正面板１６の係合部２６には、図３に示すように、第二リベット孔３０と解除孔３２が所定間隔をおいて設けられ、第二リベット孔３０と解除孔３２は重なり合って又はスリット４８により連結され、略瓢箪形の一つの孔を形成している。
【００３１】
背面板１８の上縁側には正面板１６の側に向けて筐体１２の厚さ分だけ略直角に折り曲げられて折曲部３４が延長形成され、背面板１８の下縁側には正面板１６の側に向けて筐体１２の厚さ分だけ略直角に折り曲げられて折曲部３６が延長形成されている。背面板１８の中間高さ位置には背面板１８の折り曲げ強度を高めるための断面略台形の突条３８が筐体１２の内部側に向けて折曲形成されている。背面板１８の側縁部には複数の第一リベット孔４０が側縁に沿って所定間隔をおいて設けられている。
【００３２】
側板２０の両縁側には一対の折返部４２，４２が略直角に折り返された状態で形成されている。折返部４２，４２には第二リベット孔４４と解除孔４６が、第二リベット孔４４は第一リベット孔２８，４０と重なる位置に、解除孔４６は第二リベット孔４４の隣で折返部４２の縁部側の位置に設けられている。第二リベット孔４４と解除孔４６は重なり合って又はスリット４８により連結され、略瓢箪形の一つの孔を形成している。
【００３３】
第一リベット孔２８，４０と第二リベット孔４４にはブラインドリベット５０が挿通され、正面板１６と側板２０、背面板１８と側板２０はブラインドリベット５０によって連結・固定されている。ここで、ブラインドリベット５０のフランジ部５２は第一リベット孔２８，４０の側に位置し、ブラインドリベット５０の潰膨頭部５４は第二リベット孔４４の側に位置している。
【００３４】
図４に示すように、リベット５０のフランジ部５２の直径Ａ、リベット５０の潰膨頭部５４の直径Ｂ、第一リベット孔２８，４０の直径Ｃ、リベット５０のスリーブ５６の直径Ｄ及び第二リベット孔４４の直径Ｅは、Ｄ＜Ｅ＜Ｂ＜Ｃ＜Ａの関係にあり、潰膨頭部５４の直径Ｂと解除孔４６の直径Ｆは、Ｂ＜Ｆの関係にある。
【００３５】
なお、正面板１６はアルミニウム合金または溶融亜鉛メッキ鋼板からなり、背面板１８及び側板２０は溶融亜鉛メッキ鋼板からなり、ブラインドリベット５０はステンレススチールまたはアルミ合金からなる。側板２０には落下防止用のケーブルを通しておくためのアイボルト（図示せず）が取り付けられている。吸音材１４は表面を撥水クロスで被覆されたポリエステル繊維成形吸音材や、ビニールフィルムで被覆されたグラスウール吸音材からなる
【００３６】
次に、以上説明した防音パネルの組立手順について、図５、図６を参照しながら説明する。ここで、図５は本発明の一例の防音パネルの組立工程を説明する説明図、図６は金属板の連結手順を示す説明図である。
【００３７】
まず、図５（ａ）に示すように、背面板１８の縁部に側板２０を、図６に示す手順に従い、第一リベット孔２８に第二リベット孔４４が重なるように重ね、第一リベット孔２８及び第二リベット孔４４にブラインドリベット５０のスリーブ５６を挿入し、ブラインドリベット５０のマンドレルを強制的に抜き取ることによりスリーブ５６の端部に潰膨頭部５４を形成し、図５（ｂ）に示すように、背面板１８に側板２０を連結・固定する。
【００３８】
次に、図５（ｃ）に示すように、背面板１８の上に吸音材１４を重ねてセットし、図５（ｄ）に示すように、側板２０に正面板１６を、図６に示す手順に従い、第二リベット孔４４に第一リベット孔４０が重なるように重ね、第二リベット孔４４及び第一リベット孔４０にブラインドリベット５０のスリーブ５６を挿入し、ブラインドリベット５０のマンドレルを強制的に抜き取ることによりスリーブ５６の端部に潰膨頭部５４を形成し、図５（ｅ）に示すように、側板２０に正面板１６を連結・固定する。以上で、防音パネルの組立が完成する。
【００３９】
次に、以上説明した防音パネルの解体方法について、図７を参照しながら説明する。ここで、図７は解体・分離される金属板のスライド状態とリベットの挙動を示す説明図である。
【００４０】
まず、防音パネル１０の側板２０を筐体１２の外側から筐体１２の内側に向けて叩き、図７に示すように、ブラインドリベット５０の潰膨頭部５４が解除孔４６の位置に来るまで、金槌、木槌などのより、強制的にスライドさせる。解除孔４６の直径と第一リベット孔４０の直径は潰膨頭部５４の直径より大きいので、ブラインドリベット５０は側板２０、正面板１６、背面板１８から抜き取ることができるようになる（図４参照）。
【００４１】
次に、側板２０、正面板１６、背面板１８からブラインドリベット５０を抜き取り、筐体１２を正面板１６、背面板１８、側板２０，２０に解体し、筐体１２の内部の吸音材１４を取り出す。以上で、防音パネルの解体が完了する。
【００４２】
この防音パネルはリベット孔以外は従来品と同様のため、組立作業に特別な工具や技能を必要とせず、また、側板を叩くことにより解体することができるので、解体作業に特別な工具・技能を必要としない。
【００４３】
また、この防音パネルは、防音パネルの支持体であるＨ鋼の溝部に挿入されるため、側板に外力が加わることがなく、解体のおそれはない。また、落下防止のアイボルトも、ケーブルにより筐体の外側に向けて引っ張られており、側板の取り外し方向と反対側に力が作用するので、解体のおそれはない。
【産業上の利用可能性】
【００４４】
異種金属材料からなる金属板を連結して形成されている物品を各金属板毎に解体して分別収集したり、再利用に供する用途にも適用できる。
【符号の説明】
【００４５】
１０  防音パネル
１２  筐体
１４  吸音材
１６  正面板
１８  背面板
２０  側板
２２  開口部
２４  折曲部
２６  係合部
２８  第一リベット孔
３０  第二リベット孔
３２  解除孔
３４  折曲部
３６  折曲部
３８  突条
４０  第一リベット孔
４２  折返部
４４  第二リベット孔
４６  解除孔
４８  スリット
５０  ブラインドリベット
５２  フランジ部
５４  潰膨頭部
５６  スリーブ
【図１】
2014125780.tif 000003
【図２】
2014125780.tif 000004
【図３】
2014125780.tif 000005
【図４】
2014125780.tif 000006
【図５】
2014125780.tif 000007
【図６】
2014125780.tif 000008
【図７】
2014125780.tif 000009
【図８】
2014125780.tif 000010
【図９】
2014125780.tif 000011